(57)【要約】【課題】  真空梱包装置の低コスト化、梱包作業の簡易化【解決手段】  真空梱包装置は、物品を載置する基台の上に、気密性を備え、吸引口と、気密に閉塞可能な開口部を備えた袋を固定的に設置し、袋内に物品を載置し、物品を袋で覆い、袋の開口部を気密に閉塞し、前記吸引口より袋内の空気を吸引して、物品を袋内に真空密閉するものである。【選択図】  図１
2007153436.tif 000002
【特許請求の範囲】
【請求項１】
物品を載置する基台の上に、気密性を備え、吸引口と、気密に閉塞可能な開口部を備えた袋を固定的に設置した真空梱包装置であって、
前記袋内に物品を載置し、物品を袋で覆い、袋の開口部を気密に閉塞し、前記吸引口より袋内の空気を吸引して、物品を袋内に真空密閉することを特徴とする真空梱包装置。
【請求項２】
前記袋の底部に物品載置板を固定的に設置し、袋内において物品載置板の上に物品を設置することを特徴とする請求項１に記載の真空梱包装置。
【請求項３】
前記袋又は物品載置板は、穴をあけ、パッキンを取り付けて袋内の気密性を確保して、穴に締結具を取り付けて基台に締結固定していることを特徴とする真空梱包装置。
【請求項４】
前記開口部に気密に閉塞するファスナーを備えていることを特徴とする請求項１に記載の真空梱包装置。
【発明の詳細な説明】
【技術分野】
【０００１】
本発明は真空梱包装置に関するものである。
【背景技術】
【０００２】
例えば、金属製の物品などは、発錆を防止するための手段や輸送中に損傷しないようにするために、様々な手段を講じなければならず、梱包作業や解梱作業に非常な手間が必要で、かつ作業に熟練が必要であった。また包装資材も多くなり、解梱後の包装資材の廃棄量が多く、処理に困るといった問題がある。また梱包容器が大型で、しかもその重量が非常に重く、取扱いが面倒であった。
【０００３】
斯かる問題を解決する梱包装置として、パレットなどの上に載置した物品に、気密性と柔軟性を備えたシートを被せるとともに、シートの周囲をパレットに気密に密着させ、シートないを減圧させることで、大気圧によりシートを物品に密着させる真空梱包装置が知られている。斯かる真空梱包装置としては、例えば、特許２８８８７９６号、特許２８７５１９１号、特許２７８１３４４号、特許３００８９７１号などが知られている。
【特許文献１】特許２８８８７９６号
【特許文献２】特許２８７５１９１号
【特許文献３】特許２７８１３４４号
【特許文献４】特許３００８９７１号
【発明の開示】
【発明が解決しようとする課題】
【０００４】
上記に挙げた特許文献に記載された真空梱包装置は、パレットなどの上に載置した物品に、シートを被せてその周囲をパレットに気密に密着させる構造を備えているため、シートの周囲を気密に密着させる構造が複雑で、費用が嵩んでいた。また、物品の梱包作業も、物品を載置した後、シートを被せてその周囲をパレットに気密に密着させる作業が必要であり、その作業が煩雑となるから、手間が掛かり、その作業性も改善を図る必要がある。
【課題を解決するための手段】
【０００５】
本発明に係る真空梱包装置は、物品を載置する基台の上に、気密性を備え、吸引口と、気密に閉塞可能な開口部を備えた袋を固定的に設置し、袋内に物品を載置し、物品を袋で覆い、袋の開口部を気密に閉塞し、前記吸引口より袋内の空気を吸引して、物品を袋内に真空密閉するものである。
【発明の効果】
【０００６】
この真空梱包装置によれば、シートに代えて、物品を載置する基台の上に、気密性を備え、開口部を気密に閉塞可能な袋を設置したので、気密性の確保が容易であり、また、物品の梱包作業も、袋内に物品を入れ、袋の開口部を気密に閉塞し、吸引口より袋内の空気を吸引して、物品を袋内に真空密閉するとよいから、梱包作業を簡易化できる。
【発明を実施するための最良の形態】
【０００７】
以下、本発明の一実施形態に係る真空梱包装置を図面に基づいて説明する。
【０００８】
この真空梱包装置１０は、図１に示すように、物品５０を載置する基台１１の上に固定的に設置した袋１２を備えている。袋１２は、気密性を備え、図２、図３に示すように気密に閉塞可能な開口部１３と、袋１２内の空気を吸引する吸引口２０を備えている。そして、図２に示すように、袋１２内に物品５０を載置し、物品５０を袋１２で覆い、図３に示すように、袋１２の開口部１３を気密に閉塞し、吸引口より袋１２内の空気を吸引して、物品を袋１２内に真空密閉する。
【０００９】
袋１２は、物品５０を袋内に入れ、真空密閉するものであるから、袋１２内が真空吸引されて大気圧により物品５０に密着するので、好適には、柔軟性に優れ、丈夫なものが望ましく、例えば、              製や              製の袋を用いるとよい。
【００１０】
袋１２は、図４に示すように、底を平坦に成形しておくと、平坦な基台１１に対して設置し易くなる。この実施形態では、袋１２は底が平坦な四角形の角袋形状であり、袋の底には、基台１１に袋１２を固定するための締結具を取り付けるための穴１２ａを開けている。
【００１１】
また、この実施形態では、図１に示すように、袋１２の中に物品載置板１４を装着している。物品載置板１４は、袋１２の底に装着可能な形状であり、袋１２に装着したときに、袋１２に開けた穴１２ａに合うように、締結具を取り付ける穴１４ａを空けている。
【００１２】
締結具としては、例えば、ボルト、ビス、リベットなどの種々の締結具を用いることができ、この際、袋１２に形成した穴１２ａや物品載置板１４に形成した穴１４ａにパッキン１５を装着して袋１２内の気密性を確保して、基台１１に締結固定するとよい。この実施形態では、図５に示すように、基台１１にボルト穴１６を設け、袋１２に形成した穴１２ａと物品載置板１４に形成した穴１４ａにそれぞれパッキン１５を装着して、ボルト１７で基台１１に袋１２と物品載置板１４を固定している。
【００１３】
このように袋１２の底に物品載置板１４を設置することにより、袋１２の底形状を保つことができ、物品５０の設置作業が容易になる。また、物品５０を設置する際に袋１２の底に傷が入らないので、袋１２の気密性をより確実に確保することができる。
【００１４】
次に、図２に示すように、物品５０を袋内に入れ、袋１２の開口部１３を気密に閉塞する。この際、開口部１３の閉塞は、図２に示すように、ハンドシーラ５１などを用いて熱融着１８させるとよい。また、図６に示すように、開口部１３を気密に閉塞するファスナー１９を取り付けてもよい。ファスナー１９は、図７に示すように、袋１２の開口部１３の内周面に開口縁に沿って対向させて設置した一対の鍵構造２１、２２を備え、図６に示すスライダー２３でファスナー１９を設置した箇所をなぞるように操作することにより、鍵構造２１、２２を嵌め合わすことができる。
【００１５】
袋１２の開口部１３は気密性を確保することが重要であるから、ファスナー１９を二重にしてもよい。また、熱融着１８を行う場合にはしわが入るなどの不具合が生じ易いという問題があり、ファスナー１９のみでは、ファスナー１９が外れてしまう可能性がある。このため、さらに気密性を確実にするため、図８に示すように、袋１２の開口部１３の内側にファスナー１９を取り付け、その外側を熱融着１８するとよい。袋１２の開口部１３の内側をファスナー１９で閉じているので、その外側を熱融着１８する際に、しわが入り難く、より確実にかつ簡単に熱融着１８を行うことができる。また、ファスナー１９と熱融着１８により、開口部１３が二重に閉じられているので、気密性をより確実に確保することができる。
【００１６】
袋１２内の空気を吸引する際は、図３に示すように、袋１２の開口部１３の一部を開けたままにしておき、そこを吸引口２０として、真空ポンプ、ブロアモータなどの吸引管５２を差込んで吸引を行い、吸引後に吸引口２０を熱融着１８等で閉塞するとよい。
【００１７】
この真空梱包装置１０によれば、上述したように、物品５０を載置する基台１１の上に、気密性を備え、開口部１３を気密に閉塞可能な袋１２を設置したので、気密性の確保が容易であり、また、物品５０の梱包作業も、袋１２内に物品５０を載置し、物品５０を袋１２で覆い、袋１２の開口部１３を気密に閉塞し、吸引口２０より袋１２内の空気を吸引して、物品５０を袋１２内に真空密閉するとよいから、梱包作業も簡易化できる。
【００１８】
なお、パレットを基台１１とした場合には、図９に示すように、物品を真空梱包した後、パレットの外枠フレーム５３を取り付けてもよい。
【００１９】
以上、本発明の一実施形態に係る真空梱包装置を説明したが、本発明に係る真空梱包装置は上述した実施形態に限定されるものではない。
【００２０】
吸引口２０は、上述した実施形態のように、開口部１３を閉塞する際に開口部１３の一部を開けたまま残し、そこから袋１２内に吸引管５２を挿入して、袋１２内の空気を吸引するようにしてもよいが、これには限定されない。例えば、図１０に示すように、袋１２の側面に吸引口３０を設けても良く、この場合、吸引口２０は外側に突出させた筒状に成形してもよい。
【００２１】
また、図１１に示すように、袋３１、３２は内外に２重にしてもよい。この場合、内側の袋３１から先に空気を吸引し、内側の袋３１の吸引口を閉じた後、外側の袋３２内の空気を吸引するとよい。図１１に示すように、側面に吸引口３１ａ、３２ａを設けた場合は、図１２に示すように、外側の袋３２の筒状の吸引口３２ａの内側から、内側の袋３１の筒状の吸引口３１ａを取り出し、内側の袋３１を吸引し、内側の袋３１から空気を吸引した後に吸引口３１ａを閉塞するとよい。そして、内側の袋３１の吸引口３１ａを外側の袋３２の中に押し込み、外側の袋３２を吸引するとよい。
【００２２】
また、袋１２の底に、物品載置板１４を設置したものを例示したが、これに限定されない。また、ファスナーの構造は上述したものに限定されない。
【００２３】
また、袋１２に形成した穴１２ａや物品載置板１４に形成した穴１４ａにパッキン１５を装着して袋１２内の気密性を確保して、基台１１に締結固定したものを例示したが、袋１２や物品載置板１４は穴を開けずに接着などの方法で基台１１に固定してもよい。
【図面の簡単な説明】
【００２４】
【図１】本発明の一実施形態に係る真空梱包装置を示す斜視図。
【図２】本発明の一実施形態に係る真空梱包装置の使用状態を示す断面図。
【図３】本発明の一実施形態に係る真空梱包装置の使用状態を示す斜視図。
【図４】本発明の一実施形態に係る真空梱包装置の分解図を示す斜視図。
【図５】本発明の一実施形態に係る真空梱包装置の袋と物品載置板の固定方法を示す断面図。
【図６】本発明の他の実施形態に係る真空梱包装置を示す斜視図。
【図７】本発明の他の実施形態に係る真空梱包装置のファスナーの構造を示す断面図。
【図８】本発明の他の実施形態に係る真空梱包装置の開口部の閉塞構造を示す図。
【図９】本発明の一実施形態に係る真空梱包装置の使用状態を示す斜視図
【図１０】本発明の他の実施形態に係る真空梱包装置の袋の構造を示す斜視図。
【図１１】本発明の他の実施形態に係る真空梱包装置の袋の吸引口の構造を示す図。
【図１２】本発明の他の実施形態に係る真空梱包装置の袋の吸引口の構造を示す図。
【符号の説明】
【００２５】
１０   真空梱包装置
１１   基台
１２   袋
１２ａ 穴
１３   開口部
１４   物品載置板
１４ａ 穴
１５   パッキン
１６   ボルト穴
１７   ボルト
１８   熱融着
１９   ファスナー
２０   吸引口
２１、２２    鍵構造
２３   スライダー
３０   吸引口
３１ａ 吸引口
３１   袋
３２ａ 吸引口
３２   袋
５０   物品
５１   ハンドシーラ
５２   吸引管
５３   外枠フレーム
【図１】
2007153436.tif 000003
【図２】
2007153436.tif 000004
【図３】
2007153436.tif 000005
【図４】
2007153436.tif 000006
【図５】
2007153436.tif 000007
【図６】
2007153436.tif 000008
【図７】
2007153436.tif 000009
【図８】
2007153436.tif 000010
【図９】
2007153436.tif 000011
【図１０】
2007153436.tif 000012
【図１１】
2007153436.tif 000013
【図１２】
2007153436.tif 000014